(57)【特許請求の範囲】
【請求項１】
交換可能な複数の部品と、
前記各部品および前記部品の交換に対応する予備部品を管理する制御部と、を備え、
前記制御部は、前記部品の交換時に、該部品に対応する複数の予備部品中から、いずれかの非交換部品の交換時期との差が小さい交換時期を有する予備部品を推奨のものとして選択して通知することを特徴とする画像形成装置。
【請求項２】
前記制御部は、前記部品の使用状況に基づいて前記部品の交換時期を推測することを特徴とする請求項１に記載の画像形成装置。
【請求項３】
前記制御部は、非交換部品の中で、ｎ番目（１≦ｎ≦非交換ユニット数）に残り寿命が少なく、第１の残り寿命（Ｌｎ）である部品と、予備部品の中で、ｍ番目（１≦ｍ≦予備ユニットの部品数）に残り寿命が少なく、第２の残り寿命（Ｌｍ）である予備部品とにおいて、前記第１の残り寿命（Ｌｎ）と前記第２の残り寿命（Ｌｍ）との差が所定の範囲（Ｌｐ）内である場合に、前記ｍ番目に残り寿命が少ない前記予備部品を推奨のものとして選択することを特徴とする請求項１または２に記載の画像形成装置。
【請求項４】
前記制御部は、推奨される予備部品が同種のもので複数ある場合、同種のものの中で、前記差が最も小さいものを選択することを特徴とする請求項１〜３のいずれか１項に記載の画像形成装置。
【請求項５】
前記制御部は、複数の部品を同時期に交換する場合、前記複数の部品にそれぞれ対応する推奨の予備部品を選択することを特徴とする請求項１〜４のいずれか１項に記載の画像形成装置。
【請求項６】
前記制御部によって制御され、情報を表示する表示部を備え、
前記制御部は、前記表示部において前記通知を行うことを特徴とする請求項１〜５のいずれか１項に記載の画像形成装置。
【請求項７】
前記制御部は、前記部品の交換時に、交換時期が予め設定した所定の範囲内にある他の部品について他部品通知を行うことを特徴とする請求項１〜６のいずれか１項に記載の画像形成装置。
【請求項８】
前記制御部は、他部品通知が行われた部品を交換部品として追加選択可能にし、追加選択された部品に対応する複数の予備部品中から推奨の予備部品をさらに選択して通知することを特徴とする請求項７に記載の画像形成装置。
【請求項９】
前記制御部は、使用中の部品が交換時期に達した場合、交換の通知を行うことを特徴とする請求項１〜８のいずれか１項に記載の画像形成装置。
【発明の詳細な説明】
【技術分野】
【０００１】
この発明は、用紙上に画像を形成する画像形成装置であって、装置を構成する部品の交換機能を有するものに関する。
【背景技術】
【０００２】
画像形成装置では、感光体ドラムなどの像担持体上にレーザ光などを用いた書き込みユニットによって静電潜像を形成し、この静電潜像をトナーボトルに収容されているトナーを用いて現像し、これを給紙ローラで給紙される用紙に直接または転写ベルトなどを介して転写する。その後、定着器において加圧および加熱を行い、用紙上のトナーを定着させている。
【０００３】
上記感光体ドラムや給紙ローラ、書き込みユニット、定着器などは、その寿命が使用回数でほぼ定まる部品であり、これら部品を交換可能にして、適正な時期に交換作業を行うことで画像品質を良好に維持することができる。この交換を適切な時期に実行可能とするために、装置内で使用されている交換可能な部品の積算動作量を管理するとともに、いずれかの部品の積算動作量が所定の基準値に達した場合に「警告表示」を実施して、ユーザーに当該部品の交換が必要であることを通知する技術が知られている。
【０００４】
ユーザーは警告表示を確認すると、カスタマエンジニアなどのサービスマンに連絡して部品の交換作業を依頼したり、自身で交換作業を行ったりする。部品の交換に際しては、装置を使用できないダウンタイムが発生するため、交換作業時間や交換回数はできるだけ少ないのが望ましい。
【０００５】
例えば、特許文献１で提案している画像形成装置では、部品使用量が第１所定値よりも大きい第２所定値に達すると交換対象とし、その時点で第１所定値に達している部品も交換対象とし、メンテナンス回数の削減と残存寿命の活用を図っている。
また、特許文献２で提案している画像形成装置では、特性のばらつく消耗部品を画像形成装置の使用環境や使用条件に合わせて選別し、製造工程でばらつく消耗部品の供給先を最適化し、消耗部品の延命、使用者のコスト削減、メーカー側の製造、メンテナンス、廃棄等の負荷を削減している。
特許文献３で提案している画像形成装置では、作像ユニットを構成する交換可能な複数のエレメントの使用履歴等寿命に関する情報を記憶し、記憶された情報からエレメント毎に交換の要否を判断し、この判断に従って寿命に達したもののみを、個別に交換することで、使用可能なエレメントが交換されてしまう様な場合を回避し、最適なメンテナンスを行うことを可能にしている。
特許文献４では、現像ユニットに比べて寿命が長いドラムユニットの寿命を感光体ドラムの両端部の削れによって判別する画像形成装置において、通常使用で寿命となったドラムユニットに対し、標準で使用可能な用紙幅に限定し、合わせて現像ユニットを限定された用紙幅に応じた予備ユニットと交換する事により、感光体ドラムの寿命延長し、さらには残留トナーを除去するトナーの無駄も無くなり、ランニングコストが低下するものとしている。
【先行技術文献】
【特許文献】
【０００６】
【特許文献１】特開２０１０−２１７４０１号公報
【特許文献２】特開２００８−５２６４６号公報
【特許文献３】特開平６−３５２６４号公報
【特許文献４】特開２０１１−０１７８４７号公報
【発明の概要】
【発明が解決しようとする課題】
【０００７】
しかし、前記した従来の画像形成装置では、画像形成装置を構成する複数のユニット、及びユニットを構成する部品を交換する場合、交換対象ユニットと非交換対象ユニットとの寿命に関する情報の関連性は考慮していない。このため、ユーザーなどが複数の予備ユニットから自由に選択し、交換した場合、交換後に他のユニットの間で寿命、交換時期の差が大きい場合には、交換時期が別々の機会となり、交換作業回数が増えることになる。結果として、機械停止時間が多くなり、生産性が低下するという問題がある。
【０００８】
本発明は、上記事情を背景としてなされたものであり、部品交換時に推奨の予備部品を知らせて、以降のメンテナンス回数を削減することができる画像形成装置を提供することを目的とする。
【課題を解決するための手段】
【０００９】
すなわち、本発明の画像形成装置のうち、第１の本発明は、交換可能な複数の部品と、
前記各部品および前記部品の交換に対応する予備部品を管理する制御部と、を備え、
前記制御部は、前記部品の交換時に、該部品に対応する複数の予備部品中から、いずれかの非交換部品の交換時期との差が小さい交換時期を有する予備部品を推奨のものとして選択して通知することを特徴とする。
【００１０】
上記本発明によれば、部品の交換時に、交換可能な複数の予備部品の内から最適な予備部品が通知され、ユーザーなどは最適な部品を選択して交換作業を行うことができる。
なお、本発明における部品は、単一の部品のみならずユニットを含むものである。
また、上記本発明によれば、次回の交換時期に交換時期が合う他の部品がある、予備部品を選択することで、交換頻度を少なくすることができる。部品交換時に他の部品との間で交換後の寿命、交換時期の差が大きい予備部品を選択すると、交換作業は別々となり、交換作業回数が増えることになる。
【００１５】
第２の本発明の画像形成装置は、前記第１の本発明において、前記制御部は前記部品の使用状況に基づいて前記部品の交換時期を推測することを特徴とする。
【００１６】
上記本発明によれば、部品の使用状況（例えば使用時間や使用回数、印刷枚数など）によって、今後の交換時期を算出などによって推測することができる。使用状況としては、使用回数や使用開始時期、使用時間などが挙げられるが、本発明としては特定のものに限定されるものではない。
【００１９】
第３の本発明の画像形成装置は、前記第１または第２の本発明において、前記制御部は、非交換部品の中で、ｎ番目（１≦ｎ≦非交換ユニット数）に残り寿命が少なく、第１の残り寿命（Ｌｎ）である部品と、予備部品の中で、ｍ番目（１≦ｍ≦予備ユニットの部品数）に残り寿命が少なく、第２の残り寿命（Ｌｍ）である予備部品とにおいて、前記第１の残り寿命（Ｌｎ）と前記第２の残り寿命（Ｌｍ）との差が所定の範囲（Ｌｐ）内である場合に、前記ｍ番目に残り寿命が少ない前記予備部品を推奨のものとして選択することを特徴とする。
【００２０】
上記本発明によれば、次回の交換時期に交換時期の差が所定範囲内（Ｌｐ）である他の部品がある、予備部品を選択することで、交換頻度を少なくすることができる。
なお、所定の範囲（Ｌｐ）は、予め設定しておき、記憶部などに格納しておくことができ、制御部が当該データを参照することで推奨の予備部品を選択することができる。なお、所定の範囲（Ｌｐ）は、ユーザーなどが設定したり、変更したりできるものであってもよい。
【００２１】
第４の本発明の画像形成装置は、前記第１〜３のいずれかの本発明において、前記制御部は、推奨される予備部品が同種のもので複数ある場合、同種のものの中で、前記差が最も小さいものを選択することを特徴とする。
【００２２】
上記本発明によれば、次回の交換時期に最も交換時期が近い他の予備部品を推奨のものとして選択することができる。なお、本発明としては、交換時期が所定の範囲内にある予備部品を全て推奨の予備部品として通知してもよい。
【００２３】
第５の本発明の画像形成装置は、前記第１〜第４のいずれかの本発明において、前記制御部は、複数の部品を同時期に交換する場合、前記複数の部品にそれぞれ対応する推奨の予備部品を選択することを特徴とする。
【００２４】
上記本発明によれば、複数の交換部品毎に推奨の予備部品を選択することで、部品の交換頻度を大幅に少なくすることができる。
【００２７】
第６の本発明の画像形成装置は、前記第１〜第５のいずれかの本発明において、前記制御部によって制御され、情報を表示する表示部を備え、前記制御部は、前記表示部において前記通知を行うことを特徴とする。
【００２８】
上記本発明によれば、ユーザーなどは、表示部において推奨の予備部品を確認することができる。
【００２９】
第７の本発明の画像形成装置は、前記第１〜第６のいずれかの本発明において、前記制御部は、前記部品の交換時に、交換時期が予め設定した所定の範囲内にある他の部品について他部品通知を行うことを特徴とする。
【００３０】
上記本発明によれば、部品を交換する際に、交換時期が近い他の部品を合わせて通知することで交換の対象にすることを可能にする。なお、通知された、交換時期が近い他の部品を交換部品に選定する場合、この部品における推奨の予備部品をさらに通知するようにしてもよい。
【００３１】
第８の本発明の画像形成装置は、前記第７の本発明において、前記制御部は、他部品通知が行われた部品を交換部品として追加選択可能にし、追加選択された部品に対応する複数の予備部品中から推奨の予備部品をさらに選択して通知することを特徴とする。
【００３２】
上記本発明によれば、交換部品として交換時期の近い他の部品を追加選択することができ、追加選択された部品に対しても推奨予備部品が通知される。
【００３３】
第９の本発明の画像形成装置は、前記第１〜第８のいずれかの本発明において、前記制御部は、使用中の部品が交換時期に達した場合、交換の通知を行うことを特徴とする。
【００３４】
上記本発明によれば、ユーザーなどは、交換時期にある部品を容易に把握して部品の交換作業に移行することができる。
【発明の効果】
【００３５】
以上説明したように、本発明によれば、部品交換を行う場合に、複数の予備部品の中から、交換後に他の部品の寿命や交換時期の差を所定の範囲内とすることにより、次回の部品交換時に複数の部品を同時に交換することにつながり、機械停止時間の削減につながり生産性が向上する効果がある。
【図面の簡単な説明】
【００３６】
【図１】本発明の一実施形態の画像形成装置における制御ブロックを示す図である。
【図２】同じく、ユニット情報のデータ構造を示す図である。
【図３】同じく、寿命に達した部品の通知および交換手順を示すフローチャートである。
【図４】同じく、寿命が近い部品を通知して、交換部品に対する推奨予備部品を通知する手順を示すフローチャートである。
【図５】同じく、寿命が近い部品を通知する画面を示す図である。
【図６】同じく推奨予備部品を選択して通知する詳細な手順を示すフローチャートである。
【図７】同じく、交換部品に対する推奨予備部品を通知する画面を示す図である。
【発明を実施するための形態】
【００３７】
以下に、本発明の一実施形態の画像形成装置を添付図面に基づいて説明する。
図１は、画像形成装置１の制御ブロックを示す図であり、画像形成装置全体を制御する制御部１０を有している。
【００３８】
制御部１０は、ＣＰＵ１１とＲＡＭ１２とを有している。ＣＰＵ１１は、ＲＡＭ１２へのデータの書き込みが可能になっており、作業領域や一時データの保管場所としてＲＡＭ１２を使用することができる。また、ＲＡＭ１２には、ユニット情報メモリー１３が接続されており、ＲＡＭ１２を介してＣＰＵ１１によるデータの読み書きが可能になっている。ユニット情報メモリー１３では、各ユニット毎にユニット情報が管理されており、使用中のユニットおよび保管中の予備ユニットの情報を参照することができる。ユニット情報の詳細については、後述する。
図では、ユニット１、２…のそれぞれについて、（Ａ）（Ｂ）（Ｃ）…のユニットの情報が格納されていることが示されている。ユニット情報メモリー１３は、本発明の記憶部に相当し、不揮発のメモリーやＨＤＤなどによって構成することができる。
【００３９】
また、ＣＰＵ１１には、ユニット情報取得部１４が制御可能に接続されており、ユニット情報取得部１４には、画像形成装置１外のユニット情報メモリー１５が接続可能になっている。ユニット情報メモリー１５は、ユニットに内蔵されたメモリーやユニット情報が格納されて、脱着が可能なユニット情報格納メモリーなどによって構成される。ユニット情報メモリー１５に格納されているユニット情報は、ユニット情報取得部１４で取得され、ＣＰＵ１１、ＲＡＭ１２を介してユニット情報メモリー１５で、対応するユニットの情報として格納される。
【００４０】
制御部１０には、操作表示部１６が制御可能に接続されている。操作表示部１６は、各種情報の表示や操作入力を行うことができ、本発明の表示部としての機能を有している。
操作表示部１６では、制御部１０の制御を受けて、画像形成装置１における印刷設定や動作制御条件などの機械設定入力、出力などに関する設定や所定の部品に関する交換モードへの移行操作入力などが可能になっている。
【００４１】
さらには、操作表示部１６は、設定内容の表示や交換時期が近い部品の通知、部品の交換に際し、推奨となる予備部品の通知の表示、部品を交換する際に交換時期が近い他の部品の通知の表示などが可能になっている。
本発明としては操作のみを行う操作部と表示が行われる表示部とが別体で構成されて操作表示部が構成されているものでもよく、表示部で一部の操作が可能になっているものであってもよい。表示部としては、ＣＲＴ、液晶、ＥＬなどのパネル形状のものが挙げられる。操作部としては、表示パネルの釦位置などに対応した座標位置の検出を行うタッチパネル、マウスやタッチペン、タブレットなどが挙げられる。
【００４２】
次に、ユニット情報の詳細を図２のデータ構造に基づいて説明する。
各ユニットのユニット情報は、識別情報によって区別されており、ユニット毎に識別情報が付与される。さらにユニット情報には、交換日付、使用回数、ユニットに含まれる各部品の使用回数情報などが格納されている。ユニット情報は、ＣＰＵ１１によって読み書きすることが可能であり、交換時期や使用回数の変更があると、これに対応した情報が更新される。
【００４３】
制御部１０では、交換日時や、ユニットの使用回数情報、各部品の使用回数情報などに基づいて、交換時期を達したことや将来の交換時期を推測することができる。例えば交換日時から所定の日時を経過した場合を交換時期としたり、使用回数が所定の閾値に達するまでを、使用実績などから推測したりして交換時期を推測することができる。ただし、本願発明としては交換時期の決定方法が特定のものに限定されるものではない。
【００４４】
次に、ユニット交換時の手順を図３のフローチャートに基づいて説明する。なお、以下では、ユニットについて説明しているが、該ユニットは、本発明の部品に含まれるものである。以下の手順は制御部１０の制御によって実行される。
制御部１０は、各ユニットの使用回数や使用経過時間などから寿命に達したユニットがあるかを判定する（ステップｓ１）。いずれのユニットも寿命に達していないと判定すると（ステップｓ１、ＮＯ）、処理を終了する。寿命に達しているユニットがあると判定すると（ステップｓ１、ＹＥＳ）、寿命に達していると判定された当該ユニットについて、操作表示部１６に交換の警告表示を行う（ステップｓ２）。その後、ユニット交換モードに移行しているかを判定する（ステップｓ３）。ユニット交換モードへの移行は、通常、ユーザーによる操作表示部１６上での操作によってなされる。ユニット交換モードへの移行がなされない場合（ステップｓ３、ＮＯ）は処理を終了する。ユニット交換モードに移行すると（ステップｓ３、ＹＥＳ）、交換モードが実行され（ステップｓ４）、その後、処理を終了する。
【００４５】
次に、上記交換モードに際し、交換時期が近い他のユニットがないかを検索する手順を図４のフローチャートに基づいて説明する。以下の手順は制御部１０による制御によって実行される。
先ず、操作表示部１６に、図３の手順で判定された寿命到達ユニットを表示し（ステップｓ１０）、ユーザーによる操作表示部１６での選択操作によって交換ユニットの選択がなされる（ステップｓ１１）。ここで選択された交換ユニット数をｙ＝１とする。
【００４６】
次いで、選択された交換ユニットと残り寿命の差がＬｐ以内の使用中の非交換ユニットを検索する。検索に際しては、ユニット情報メモリー１３に格納されている情報を参照し、各ユニットの寿命をそれぞれ推測して交換ユニットの寿命との差を算出して上記検索を行う。なお、Ｌｐは、同時期に交換することが推奨される数値として予め設定しておき、不揮発のメモリーなどに格納しておく。なお、このＬｐは、図６のフローチャートで説明するＬｐと同じ符号を使用しているが、図６で使用されるＬｐとは異なる数値を設定しているものであってもよい。
【００４７】
検索の結果、寿命の差がＬｐ以内のユニットがない場合（ステップｓ１３、Ｎｏ）、交換ユニット選択数は１であり、１つの交換ユニットに対する推奨の予備ユニットを提示し（ステップｓ１７）、交換処理が実施される（ステップｓ１８）。一方、検索の結果、寿命の差がＬｐ以内のユニットがある場合（ステップｓ１３、ＹＥＳ）、Ｌｐ以内の使用中のユニットを操作表示部１６に表示し、画面上で交換ユニットの追加選択を可能にする（ステップｓ１４）。ユーザーは、交換ユニットの追加選択を所望により操作表示部６を通して行う。次いで、交換ユニットの追加選択があるかを判定し（ステップｓ１５）、交換ユニットの追加選択がなければ（ステップｓ１５、ＮＯ）、そのままステップｓ１７に移行する。交換ユニットの追加選択があれば（ステップｓ１５、ＹＥＳ）、交換ユニットがユーザーによって追加され、交換ユニット数は、ｙ＝ｙ＋追加数となる（ステップｓ１６）。次いで、ステップｓ１７に移行し、交換ユニット数に応じて推奨予備ユニットが選択されて操作表示部１６に表示される。その後、交換処理がなされる（ステップｓ１８）。
【００４８】
図５は、ユニットを交換する際に表示される交換作業画面１６０を示すものである。交換作業画面１６０は、図示しないメニュー画面などでユーザーなどが操作入力することで表示されるようにすることができる。
交換作業画面１６０では、交換作業開始釦１６１が押釦可能に表示されており、ユーザーが該釦を押釦操作することで、対象となる交換部品について交換作業が開始される。例えば、交換作業が開始されると画像形成装置は画像形成のための稼働や該当部品が含まれる部分の稼働を停止し、操作表示部１６に操作手順などを表示することができる。なお、交換作業前においても、交換作業画面１６０に表示されている交換手順ガイド釦１６２を押釦することで交換手順のガイドを交換作業画面１６０に表示させることができる。
【００４９】
なお、図５の交換作業画面１６０では、交換対象のユニットの寿命と近い寿命を有する交換ユニットがあるため、交換寿命が近い交換ユニットを表示する他部品交換通知ポップアップ画面１７０が表示されている。
他部品交換通知ポップアップ画面１７０では、「寿命の近い以下のユニットを追加しますか。」のメッセージとともに、交換寿命の近いユニットがユニット名表示欄１７１に表示されている。他部品交換通知ポップアップ画面１７０には、「はい」釦１７２と「いいえ」釦１７３とが押釦可能に表示されており、「はい」釦１７２を押釦すると、表示されているユニットが交換ユニットに追加され、他部品交換通知ポップアップ画面１７０は閉じられる。一方、「いいえ」釦１７３を押釦すると、寿命の近いユニットは交換ユニットに追加されず、他部品交換通知ポップアップ画面１７０が閉じられる。
なお、ユニット名表示欄１７１では、ユニット毎の選択を押釦などによって可能にして、一部が選択された状態で「はい」釦１７２が押釦されると、選択されたユニットのみを交換ユニットに追加できるようにしてもよい。
【００５０】
次に、交換ユニット数ｙである交換ユニットに対する推奨予備ユニットを提示する手順を図６のフローチャートに基づいて説明する。以下の制御手順は制御部１０によって実行される。
以下では、非交換ユニットの検索順位をｎ、予備ユニットの検索順位をｍ、予め設定した残りの寿命の差の設定範囲をＬｐ、非交換ユニット数をＣｐ、交換ユニットに対応する予備ユニットの数をＲｐ、交換ユニット数をｙとしている。
【００５１】
先ず、非交換ユニットの検索順位ｎを０に設定し（ステップｓ２０）、予備ユニットの検索順位ｍを０に設定し（ステップｓ２１）、第１の交換ユニットに対する検索を開始する。
次いで、ｎが非交換ユニット数Ｃｐ以下かを判定する（ステップｓ２２）。ｎが非交換ユニット数Ｃｐを越えていれば（ステップｓ２２、ＮＯ）、当該ユニットに関してはさらに検索すべき非交換ユニットはないので、交換ユニット数ｙから１を減じ（ステップｓ３０）、ｙが０かを判定する（ステップｓ３１）。ｙが０でなければ（ステップｓ３１、Ｎｏ）、検索の対象となる交換ユニットは、まだあるので、ステップｓ２０に戻って次の交換ユニットについて検索を継続する。
ステップｓ２２で、ｎが非交換ユニット数Ｃｐ以下である場合（ステップｓ２２、ＹＥＳ）、ｎに１を加算して次の検索順位とし（ステップｓ２３）、非交換ユニットの中からｎ番目に残り寿命の少ない残り寿命Ｌｎのユニットを決定する（ステップｓ２４）。寿命Ｌｎは、本発明の第１の残り寿命（Ｌｎ）に相当する。
【００５２】
次いで、予備ユニットの検索順位ｍが予備ユニットの数Ｒｐ以下かを判定する（ステップｓ２５）。
ｍがＲｐを越えていれば（ステップｓ２５、Ｎｏ）、さらに予備ユニットの検索は不要となるので、ステップｓ２１に戻ってｍをリセットし、次にｎに１を加算して、次の非交換ユニットに対応する検索を継続する。ｍがＲｐ以下であれば（ステップｓ２５、ＹＥＳ）、ｍに１を加算して次の検索順位とし（ステップｓ２６）、予備ユニットの中からｍ番目に残り寿命の少ない残り寿命Ｌｍのユニットを決定する（ステップｓ２７）。寿命Ｌｍは、本発明の第２の残り寿命（Ｌｍ）に相当する。
【００５３】
次いで、決定したＬｎとＬｍの差の絶対値がＬｐ以下かを判定する（ステップｓ２８）。ＬｎとＬｍの差の絶対値がＬｐを越えていれば（ステップｓ２８、Ｎｏ）、寿命の差が大きいため推奨の予備ユニットにはならず、ステップｓ２５に戻り、ステップｓ２５を満たせば加算されたｍによって予備ユニット中での検索を継続する。
【００５４】
ＬｎとＬｍの差の絶対値がＬｐ以下であれば（ステップｓ２８、ＹＥＳ）、当該交換ユニットに対し、残り寿命Ｌｍの予備ユニットを推奨のものとして選択して表示し（ステップｓ２９）、ｙから１を減じて（ステップｓ３０）、ｙが０かを判定する（ステップｓ３１）。ｙが０であれば（ステップｓ３１、ＹＥＳ）、交換ユニット全てについて検索がされたことになり、処理を終了する。ｙが０でない場合（ステップｓ３１、Ｎｏ）、交換ユニットに検索未了のものがあるので、次の交換ユニットについて、ステップｓ２０に戻って同様の検索を行う。これにより、全ての交換ユニットについて推奨となる予備ユニットが選択されて表示される。なお、寿命がＬｐ以内の予備ユニットがなければ、その交換ユニットに対する推奨の予備ユニットは選択も表示もされないことになる。
【００５５】
次に、複数の交換ユニットに対するそれぞれの推奨の予備ユニットを組み合わせとして操作表示部１６に表示した画面を図７に基づいて説明する。
図７は、前記で説明した交換作業画面１６０を示すものであるが、この図では、交換作業画面１６０に推奨組合せポップアップ画面１８０がポップアップ表示されている。
推奨組合せポップアップ画面１８０では、交換ユニットが表示されるとともに、該交換ユニットに対応する推奨予備ユニットが表示されている。
【００５６】
すなわち、この図に示される現像ユニットＡ、定着ユニットＡ、中間転写ユニットＡは、使用中で、交換時期が近く、交換時期にあるユニットである。現像ユニットＡについては、予備ユニット中で現像ユニットＣが推奨され、定着ユニットＡでは、予備ユニット中で定着ユニットＢが推奨され、中間転写ユニットＡでは中間転写ユニットＤが推奨されている。この画面に応じて現像ユニットＡ、定着ユニットＡ、中間転写ユニットＡをそれぞれ同時期に現像ユニットＣ、定着ユニットＢ、中間転写ユニットＤに交換すると、これらのユニットが交換時期になる際に、非交換ユニット中に交換時期が近いユニットが存在し、これを同時期に交換することが可能になる。なお、現像ユニットＣ、定着ユニットＢ、中間転写ユニットＤ間で交換時期が近いことが必要とされるものではない。
【００５７】
以上、本発明について上記実施形態に基づいて説明を行ったが、本発明は上記実施形態の内容に限定されるものではなく、本発明の範囲を逸脱しない限りは適宜の変更が可能である。
【符号の説明】
【００５８】
１  画像形成装置
１０  制御部
１３  ユニット情報メモリー
１５  ユニット情報メモリー
１６  操作表示部
１６０  交換作業画面
１７０  他部品交換通知ポップアップ画面
１８０  推奨組合せポップアップ画面
【図１】
0005804266.tif 000002
【図２】
0005804266.tif 000003
【図３】
0005804266.tif 000004
【図４】
0005804266.tif 000005
【図５】
0005804266.tif 000006
【図６】
0005804266.tif 000007
【図７】
0005804266.tif 000008